(57)【要約】【課題】浴室などの居住空間の換気空調を行う換気空調装置において、簡易的な操作により構成部材を動作させることで、通過空気の状態（温度、風速または風量等）に影響されること無く浴室内空気を任意の流通方向に可変することを目的とする。【解決手段】浴室８内の空気を循環する循環送風経路２と、浴室８内空気を浴室８外へ排出する換気送風経路３と、加熱手段より構成された本体部５と、前記本体部５の前記循環送風経路２と連結する開口を複数設けたグリル部６で構成され、前記本体部５と前記グリル部６間の相対距離を可変可能とし、その際の前記本体部５の吸込口９及び吹出口１２と連結したグリル部６の開口を開閉する動作と組み合わせることにより、浴室８内空気の流通方向の可変を可能にし乾燥対象の乾燥時間短縮を図ることのできる換気空調装置１が得られる。【選択図】図４
2008232486.tif 000002
【特許請求の範囲】
【請求項１】
浴室内空気を吸引する吸込口と、前記吸込口から吸引した空気を送風する循環送風路と、前記浴室内の空気を吸引または送風する循環ファンと、前記浴室内に空気を吹出す吹出口で構成された循環送風径路と、前記浴室内空気を浴室外へ排出する換気送風径路と、前記循環送風径路内に設けられ循環空気を加熱する加熱手段より構成された本体部と、本体部の前記吸込口と連結して流路を構成する外側吸込口と、前記吹出口と連結して流路を構成する外側吹出口より構成されたグリル部を備え、前記グリル部と前記本体部間の相対距離を可変可能な構成とした換気空調装置。
【請求項２】
グリル部と本体部の相対距離を可変することで浴室内空気の流通方向を可変することを特徴とする請求項１に記載の換気空調装置。
【請求項３】
グリル部を鉛直上下方向に稼動させる構成とすることにより、前記グリル部と本体部間の相対距離を可変させることを特徴とした請求項１または２に記載の換気空調装置。
【請求項４】
浴室内空気の流通方向を浴室天井面に沿った方向と、鉛直上下方向の少なくとも２方向に変更可能な請求項１または３に記載の換気空調装置。
【請求項５】
グリル部の浴室天井面と平行方向の面であるグリル部平行面には本体部の吸込口と連結する開口である吸込開口と前記本体部の吹出口と連結する吹出開口が設けられており、前記グリル部の浴室天井面と垂直方向の面であるグリル部垂直面の各面にはスリット形状の開口であるスリット開口が設けられていることを特徴とする請求項１乃至４のいずれかに記載の換気空調機。
【請求項６】
グリル部平行面に設けられた吸込開口と吹出開口に開閉手段を設けることにより、前記吸込開口と前記吹出開口の開閉および開口面積の可変が可能であることを特徴とする請求項１乃至５のいずれかに記載の換気空調機。
【請求項７】
グリル部と本体部間の相対距離が極めて狭いもしくは両者が密着している場合には、グリル部平行面に設けられた吸込開口が前記本体部の吸込口と連結し、且つ吹出開口が前記本体部の吹出口と連結することで鉛直下向き方向への送風となることを特徴とした請求項１乃至６のいずれかに記載の換気空調装置。
【請求項８】
グリル部と本体部に間隔を設けた状態で吸込開口と吸込口を連結し、グリル部平行面に設けられた吹出開口を閉塞することにより、グリル部垂直面に設けられたスリット開口より浴室天井面に沿った方向へ吹出す送風方向となることを特徴とした請求項１乃至６のいずれかに記載の換気空調装置。
【請求項９】
グリル部と本体部に間隔を設けた状態で吸込開口と吸込口を連結し、更に吹出開口を閉塞し、且つグリル部と本体部間の相対間隔を可変させることにより、グリル部垂直面に設けられたスリット開口の開口面積を調節することで、所望の吹出風速に設定することを特徴とした請求項１乃至６のいずれか、または８に記載の換気空調装置。
【請求項１０】
グリル部と本体部に間隔を設けた状態で吸込開口と吸込口を連結し、吹出開口に設けられた開閉手段を可変することで、鉛直下向き方向と浴室天井面に沿った方向との送風割合を調節可能とすることを特徴とした請求項１乃至６のいずれかに記載の換気空調装置。
【請求項１１】
グリル部と本体部に間隔を設けた状態で吹出開口と吹出口を連結し、グリル部平行面に設けられた吸込開口を閉塞することにより、グリル部垂直面に設けられたスリット開口より浴室天井面に沿って浴室内空気が前記本体部内に流入することを特徴とした請求項１乃至６のいずれかに記載の換気空調装置。
【請求項１２】
送風径路内に除湿手段を設けることにより、浴室内循環空気の湿度を下げることを特徴とした請求項１乃至１１のいずれかに記載の換気空調装置。
【請求項１３】
除湿手段が、冷媒を圧縮する圧縮機と冷媒が放熱する第一熱交換器と冷媒を膨張させる膨張機構と冷媒が吸熱する第二熱交換器の順に冷媒が循環するように配管接続された冷媒回路を用いたヒートポンプによることを特徴とする請求項１２記載の換気空調装置。
【請求項１４】
加熱手段が、冷媒を圧縮する圧縮機と冷媒が放熱する第一熱交換器と冷媒を膨張させる膨張機構と冷媒が吸熱する第二熱交換器の順に冷媒が循環するように配管接続された冷媒回路を用いたヒートポンプによることを特徴とする請求項１乃至１３のいずれかに記載の換気空調装置。
【請求項１５】
浴室内循環空気が極めて高温多湿な状態から乾燥運転を開始する場合、浴室内空気を一定期間浴室外に排気した後、浴室内を循環させる運転に切り替えることを特徴とする請求項１乃至１４のいずれかに記載の換気空調装置。
【請求項１６】
グリル部と本体部間の相対距離を可変する動作を、運転パターンに応じて自動で行うことを特徴とする請求項１乃至１５のいずれかに記載の換気空調装置。
【発明の詳細な説明】
【技術分野】
【０００１】
本発明は、運転方法に従った所望の方向へと浴室内空気の流通方向を可変する換気空調装置に関する。
【背景技術】
【０００２】
従来の送風方向を可変可能な換気空調装置としては、温度差を利用して形状記憶合金の形状変化による風向可変をするものがあり、吹出口付近に設けられた形状記憶合金製動作部材に連結した切換手段により、温風通過時には加温されて形状記憶合金製動作部材は伸張した状態となり、涼風通過時には冷却されて形状記憶合金製動作部材は収縮した状態となることで風向を可変できるものがある（例えば特許文献１参照）。
【０００３】
また別の換気空調装置としては、傾斜案内羽根を設けた吹出口グリルを回転自在に取り付けることで吹出し風向を任意に変更できるものがある（例えば特許文献２参照）。
【０００４】
以上のように送風方向を可変する換気空調装置は、様々な形態のものが提案されている。特許文献１に例示される換気空調装置は、動作部材が設けられた吹出口付近を通過する循環空気の温度によって吹出風向を可変するものであるため、通過する循環空気の温度によって吹出風向が決定してしまうといった課題があった。特許文献２例示される換気空調装置は、吹出グリルを回転させることで任意の風向に変更可能な構成であるが、風向を可変させる動作は手動であるため、可変部に手の届かないユーザーにとっては不便であるといった課題があった。
【０００５】
本発明は上記従来の課題を解決するものであり、簡易的な操作により構成部材を動作させることで、通過空気の状態（温度、風速または風量等）に影響されること無く浴室内空気を任意の流通方向に可変することのできる換気空調装置を提供することを目的としている。
【特許文献１】特開平９−７５５９７号公報
【特許文献２】特開平９−２９２１４８号公報
【発明の開示】
【課題を解決するための手段】
【０００６】
上記目的を達成するために本発明が講じた第一の解決手段は、浴室内空気を吸引する吸込口と、前記吸込口から吸引した空気を送風する循環送風路と、前記浴室内の空気を吸引または送風する循環ファンと、前記浴室内に空気を吹出す吹出口で構成された循環送風径路と、前記浴室内空気を浴室外へ排出する換気送風径路と、前記循環送風径路内に設けられ循環空気を加熱する加熱手段より構成された本体部と、本体部の前記吸込口と連結して流路を構成する外側吸込口と、前記吹出口と連結して流路を構成する外側吹出口より構成されたグリル部を備え、前記グリル部と前記本体部間の相対距離を可変可能な構成とすることで前記浴室内空気の流通方向を可変したものである。
【０００７】
この手段により、従来は固定されていたグリル部と本体部間の相対距離を可変し、浴室内空気の流通方向を可変することができる浴室換気空調装置が得られる。
【０００８】
また、本発明が講じた第二の解決手段は、グリル部と本体部の相対距離を可変することで浴室内空気の流通方向を可変することとしたものである。
【０００９】
この手段により、グリル部と本体部間の相対距離を可変する動作のみで浴室内空気の流通方向を可変することができる浴室換気空調装置が得られる。
【００１０】
また、本発明が講じた第三の解決手段は、グリル部を鉛直上下方向に稼動させる構成とすることにより、前記グリル部と本体部間の相対距離を可変させることとしたものである。
【００１１】
この手段により、グリル部と本体部間の相対距離を可変する動作を鉛直上下方向のみと限定することで、簡易的な稼動手段でもグリル部と本体部間の相対距離を可変し、浴室内空気の流通方向を可変することができる浴室換気空調装置が得られる。
【００１２】
また、本発明が講じた第四の解決手段は、浴室内空気の流通方向を浴室天井面に沿った方向と、鉛直上下方向の少なくとも２方向に変更可能としたものである。
【００１３】
この手段により、浴室天井面および浴室壁面の乾燥を行いたい際には浴室天井面に沿った方向への空気の流通、また浴室換気空調装置下部に設けたランドリーパイプ等に備え付けた衣類の乾燥を行いたい際には鉛直上下方向への空気の流通といった風に、所望の流通方向へと可変可能な浴室換気空調装置が得られる。
【００１４】
また、本発明が講じた第五の解決手段は、グリル部の浴室天井面と平行方向の面であるグリル部平行面には本体部の吸込口と連結する開口である吸込開口と前記本体部の吹出口と連結する吹出開口が設けられており、前記グリル部の浴室天井面と垂直方向の面であるグリル部垂直面の各面にはスリット形状の開口であるスリット開口が設けられていることとしたものである。
【００１５】
この手段により、それぞれの開口を用いることで浴室天井面に沿った方向と、鉛直上下方向に浴室内空気の流通方向を可変可能な浴室換気空調装置が得られる。
【００１６】
また、本発明が講じた第六の解決手段は、グリル部平行面に設けられた吸込開口と吹出開口に開閉手段を設けることにより、前記吸込開口と前記吹出開口の開閉および開口面積の可変が可能であるとしたものである。
【００１７】
この手段により、どの開口を用いて浴室内空気を流通させるかを選択可能にし、更には開度を調節することで空気の流通方向や流通量、流通速度等の調整をすることができる浴室換気空調装置が得られる。
【００１８】
また、本発明が講じた第七の解決手段は、グリル部と本体部間の相対距離が極めて狭いもしくは両者が密着している場合には、グリル部平行面に設けられた吸込開口が前記本体部の吸込口と連結し、且つ吹出開口が前記本体部の吹出口と連結することで鉛直下向き方向への送風となることとしたものである。
【００１９】
この手段により、グリル部平行面に対して垂直方向より空気が本体部に流入し、循環送風路を介してグリル部平行面に対して垂直方向に空気を浴室内に吹出す流路となるため、浴室換気空調装置下部に乾燥対象物（例えばランドリーパイプに掛けられた衣類）を備えているような状況において、直接温風を当てることができ、対象物付近の空気を吸引することで、衣類等の乾燥時間の短縮を図ることができる浴室換気空調装置が得られる。
【００２０】
また、本発明が講じた第八の解決手段は、グリル部と本体部に間隔を設けた状態で吸込開口と吸込口を連結し、グリル部平行面に設けられた吹出開口を閉塞することにより、グリル部垂直面に設けられたスリット開口より浴室天井面に沿った方向へ吹出す送風方向となることとしたものである。
【００２１】
この手段により、グリル部平行面に対して垂直方向より空気が本体部に流入し、循環送風路を介してグリル部垂直面に対して垂直方向に空気を浴室内に吹出す流路となるため、浴室天井面および壁面に沿うような流路として吹出し、床面付近より空気を吸引することで、浴室天面および壁面の乾燥時間の短縮を図ることができる浴室換気空調装置が得られる。
【００２２】
また、本発明が講じた第九の解決手段は、グリル部と本体部に間隔を設けた状態で吸込開口と吸込口を連結し、更に吹出開口を閉塞し、且つグリル部と本体部間の相対間隔を可変させることにより、グリル部垂直面に設けられたスリット開口の開口面積を調節することで、所望の吹出風速に設定するとしたものである。
【００２３】
この手段により、グリル部平行面に対して垂直方向より空気が本体部に流入し、循環送風路を介してグリル部垂直面に対して垂直方向に空気を浴室内に吹出す流路となるため、浴室天井面および壁面に沿うような流路として吹出し、床面付近より空気を吸引し、更にスリット開口の開口面積を狭くすることで吹出風速を早くすることができるため浴室天面および壁面の乾燥時間の短縮を図ることができる浴室換気空調装置が得られる。
【００２４】
また、本発明が講じた第十の解決手段は、グリル部と本体部に間隔を設けた状態で吸込開口と吸込口を連結し、吹出開口に設けられた開閉手段を可変することで、鉛直下向き方向と浴室天井面に沿った方向との送風割合を調節可能とするとしたものである。
【００２５】
この手段により、鉛直下向き方向と浴室天井面に沿った方向の両方向に空気を吹出すことが可能になるため、目的に沿った割合で吹出すように開度を調整することで、種々の乾燥形態に対応することが可能な浴室換気空調装置が得られる。
【００２６】
また、本発明が講じた第十一の解決手段は、グリル部と本体部に間隔を設けた状態で吹出開口と吹出口を連結し、グリル部平行面に設けられた吸込開口を閉塞することにより、グリル部垂直面に設けられたスリット開口より浴室天井面に沿って浴室内空気が前記本体部内に流入することとしたものである。
【００２７】
この手段により、グリル部垂直面に対して垂直方向より空気が本体部に流入し、循環送風路を介してグリル部平行面に対して垂直方向に空気を浴室内に吹出す流路となるため、床面に向かって吹出した空気が浴室壁面および天面に沿うような流路で本体部に流入することで、浴室床面の乾燥時間の短縮を図ることができる浴室換気空調装置が得られる。
【００２８】
また、本発明が講じた第十二の解決手段は、送風径路内に除湿手段を設けることにより、浴室内循環空気の湿度を下げることとしたものである。
【００２９】
この手段により、低湿の空気を吹出すことが可能となるため、乾燥時間の短縮を図ることのできる浴室換気空調装置が得られる。
【００３０】
また、本発明が講じた第十三の解決手段は、除湿手段が、冷媒を圧縮する圧縮機と冷媒が放熱する第一熱交換器と冷媒を膨張させる膨張機構と冷媒が吸熱する第二熱交換器の順に冷媒が循環するように配管接続された冷媒回路を用いたヒートポンプによることとしたものである。
【００３１】
この手段により、本体部に流入した浴室内循環空気に対して、第二熱交換器を介することで冷媒が吸熱を行いその後第一熱交換器を介することで冷媒が放熱を行うことで、第二熱交換器表面で吸熱された浴室内循環空気が結露することで、少ない消費電力で効率的に浴室内を除湿することが可能な浴室換気空調装置が得られる。
【００３２】
また、本発明が講じた第十四の解決手段は、加熱手段が、冷媒を圧縮する圧縮機と冷媒が放熱する第一熱交換器と冷媒を膨張させる膨張機構と冷媒が吸熱する第二熱交換器の順に冷媒が循環するように配管接続された冷媒回路を用いたヒートポンプによることとしたものである。
【００３３】
この手段により、本体部に流入した浴室内循環空気に対して、第二熱交換器を介することで冷媒が吸熱を行いその後第一熱交換器を介することで冷媒が放熱を行うことで、第一熱交換器表面で放熱された高温の空気が浴室内に吹出すことで、少ない消費電力で効率的に浴室内温度を昇温することが可能な浴室換気空調装置が得られる。
【００３４】
また、本発明が講じた第十五の解決手段は、浴室内循環空気が極めて高温多湿な状態から乾燥運転を開始する場合、浴室内空気を一定期間浴室外に排気した後、浴室内を循環させる運転に切り換えることとしたものである。
【００３５】
この手段により、高温多湿な浴室内空気を浴室外に一定時間排気することで浴室外の空気を浴室内に取り入れ、その入れ換えた後の浴室内空気を循環させて乾燥運転することで、乾燥時間を短縮することが可能な浴室換気空調装置が得られる。
【００３６】
また、本発明が講じた第十六の解決手段は、グリル部と本体部間の相対距離を可変する動作を、運転パターンに応じて自動で行うこととしたものである。
【００３７】
この手段により、運転パターンを切り換える度に手動で相対距離を可変する動作を必要としない、使い勝手の良い浴室換気空調装置が得られる。
【発明の効果】
【００３８】
本発明の換気空調装置によれば、簡易的な操作により構成部材を動作させることで、通過空気の状態（温度、風速または風量等）に影響されること無く浴室内空気を任意の流通方向に可変することができる。
【発明を実施するための最良の形態】
【００３９】
本発明の請求項１記載の発明は、浴室内空気を吸引する吸込口と、前記吸込口から吸引した空気を送風する循環送風路と、前記浴室内の空気を吸引または送風する循環ファンと、前記浴室内に空気を吹出す吹出口で構成された循環送風径路と、前記浴室内空気を浴室外へ排出する換気送風径路と、前記循環送風径路内に設けられ循環空気を加熱する加熱手段より構成された本体部と、本体部の前記吸込口と連結して流路を構成する外側吸込口と、前記吹出口と連結して流路を構成する外側吹出口より構成されたグリル部を備え、前記グリル部と前記本体部間の相対距離を可変可能な構成とすることで前記浴室内空気の流通方向を可変したものであり、この手段により、従来は固定されていたグリル部と本体部間の相対距離を可変し、浴室内空気の流通方向を可変することができる浴室換気空調装置が得られる。グリル部の側面にも空気の吹出し用の吹出開口を備えており、グリル部と本体部の間に距離がある場合は、グリル部の下面の吹出口の他、側面の吹出開口からも、空気の吹出しが可能となり、またその場合、グリル部の下面の吹出口を閉じれば側面の吹出開口からのみの吹出しが可能となり、また、グリル部と本体部が接触するなどグリル部と本体間の距離が無い場合は、後述する図５に示すように、グリル部の側面の吹出開口２３が浴室天面に収納され、本体部に被さり、吹出開口２３が閉塞されるので、グリル部の下面の吹出開口である吹出口１２のみからの吹出しが可能となる。従って、前記グリル部と前記本体部間の距離を可変可能、相対距離を可変可能な構成とすることで、本体からの吹出し方向を、グリル部の側面方向、あるいは下面方向、あるいは側面方向と下面方向の両方向などと可変することができ、浴室内空気の流通方向を可変することができる換気空調装置が得られる。
【００４０】
本発明の請求項２記載の発明は、グリル部と本体部の相対距離を可変することで浴室内空気の流通方向を可変することとしたものであり、この手段により、グリル部と本体部間の相対距離を可変する動作のみで浴室内空気の流通方向を可変することができる換気空調装置が得られる。
【００４１】
本発明の請求項３記載の発明は、グリル部を鉛直上下方向に稼動させる構成とすることにより、前記グリル部と本体部間の相対距離を可変させることとしたものであり、この手段により、グリル部と本体部間の相対距離を可変する動作を鉛直上下方向のみと限定することで、簡易的な稼動手段でもグリル部と本体部間の相対距離を可変し、浴室内空気の流通方向を可変することができる換気空調装置が得られる。
【００４２】
本発明の請求項４記載の発明は、浴室内空気の流通方向を浴室天井面に沿った方向と、鉛直上下方向の少なくとも２方向に変更可能としたものであり、この手段により、浴室天井面および浴室壁面の乾燥を行いたい際には浴室天井面に沿った方向への空気の流通、また浴室換気空調装置下部に設けたランドリーパイプ等に備え付けた衣類の乾燥を行いたい際には鉛直上下方向への空気の流通といった風に、所望の流通方向へと可変可能な換気空調装置が得られる。
【００４３】
本発明の請求項５記載の発明は、グリル部の浴室天井面と平行方向の面であるグリル部平行面には本体部の吸込口と連結する開口である吸込開口と前記本体部の吹出口と連結する吹出開口が設けられており、前記グリル部の浴室天井面と垂直方向の面であるグリル部垂直面の各面にはスリット形状の開口であるスリット開口が設けられていることとしたものであり、この手段により、それぞれの開口を用いることで浴室天井面に沿った方向と、鉛直上下方向に浴室内空気の流通方向を可変可能な換気空調装置が得られる。
【００４４】
本発明の請求項６記載の発明は、グリル部平行面に設けられた吸込開口と吹出開口に開閉手段を設けることにより、前記吸込開口と前記吹出開口の開閉および開口面積の可変が可能であるとしたものであり、この手段により、どの開口を用いて浴室内空気を流通させるかを選択可能にし、更には開度を調節することで空気の流通方向や流通量、流通速度等の調整をすることができる換気空調装置が得られる。
【００４５】
本発明の請求項７記載の発明は、グリル部と本体部間の相対距離が極めて狭いもしくは両者が密着している場合には、グリル部平行面に設けられた吸込開口が前記本体部の吸込口と連結し、且つ吹出開口が前記本体部の吹出口と連結することで鉛直下向き方向への送風となることとしたものであり、この手段により、グリル部平行面に対して垂直方向より空気が本体部に流入し、循環送風路を介してグリル部平行面に対して垂直方向に空気を浴室内に吹出す流路となるため、浴室換気空調装置下部に乾燥対象物（例えばランドリーパイプに掛けられた衣類）を備えているような状況において、直接温風を当てることができ、対象物付近の空気を吸引することで、衣類等の乾燥時間の短縮を図ることができる換気空調装置が得られる。
【００４６】
本発明の請求項８記載の発明は、グリル部と本体部に間隔を設けた状態で吸込開口と吸込口を連結し、グリル部平行面に設けられた吹出開口を閉塞することにより、グリル部垂直面に設けられたスリット開口より浴室天井面に沿った方向へ吹出す送風方向となることとしたものであり、この手段により、グリル部平行面に対して垂直方向より空気が本体部に流入し、循環送風路を介してグリル部垂直面に対して垂直方向に空気を浴室内に吹出す流路となるため、浴室天井面および壁面に沿うような流路として吹出し、床面付近より空気を吸引することで、浴室天面および壁面の乾燥時間の短縮を図ることができる換気空調装置が得られる。
【００４７】
本発明の請求項９記載の発明は、グリル部と本体部に間隔を設けた状態で吸込開口と吸込口を連結し、更に吹出開口を閉塞し、且つグリル部と本体部間の相対間隔を可変させることにより、グリル部垂直面に設けられたスリット開口の開口面積を調節することで、所望の吹出風速に設定するとしたものであり、この手段により、グリル部平行面に対して垂直方向より空気が本体部に流入し、循環送風路を介してグリル部垂直面に対して垂直方向に空気を浴室内に吹出す流路となるため、浴室天井面および壁面に沿うような流路として吹出し、床面付近より空気を吸引し、更にスリット開口の開口面積を狭くすることで吹出風速を早くすることができるため浴室天面および壁面の乾燥時間の短縮を図ることができる換気空調装置が得られる。
【００４８】
本発明の請求項１０記載の発明は、グリル部と本体部に間隔を設けた状態で吸込開口と吸込口を連結し、吹出開口に設けられた開閉手段を可変することで、鉛直下向き方向と浴室天井面に沿った方向との送風割合を調節可能とするとしたものであり、この手段により、鉛直下向き方向と浴室天井面に沿った方向の両方向に空気を吹出すことが可能になるため、目的に沿った割合で吹出すように開度を調整することで、種々の乾燥形態に対応することが可能な換気空調装置が得られる。
【００４９】
本発明の請求項１１記載の発明は、グリル部と本体部に間隔を設けた状態で吹出開口と吹出口を連結し、グリル部平行面に設けられた吸込開口を閉塞することにより、グリル部垂直面に設けられたスリット開口より浴室天井面に沿って浴室内空気が前記本体部内に流入することとしたものであり、この手段により、グリル部垂直面に対して垂直方向より空気が本体部に流入し、循環送風路を介してグリル部平行面に対して垂直方向に空気を浴室内に吹出す流路となるため、床面に向かって吹出した空気が浴室壁面および天面に沿うような流路で本体部に流入することで、浴室床面の乾燥時間の短縮を図ることができる換気空調装置が得られる。
【００５０】
本発明の請求項１２記載の発明は、送風径路内に除湿手段を設けることにより、浴室内循環空気の湿度を下げることとしたものであり、この手段により、低湿の空気を吹出すことが可能となるため、乾燥時間の短縮を図ることのできる換気空調装置が得られる。
【００５１】
本発明の請求項１３記載の発明は、除湿手段が、冷媒を圧縮する圧縮機と冷媒が放熱する第一熱交換器と冷媒を膨張させる膨張機構と冷媒が吸熱する第二熱交換器の順に冷媒が循環するように配管接続された冷媒回路を用いたヒートポンプによることとしたものであり、この手段により、本体部に流入した浴室内循環空気に対して、第二熱交換器を介することで冷媒が吸熱を行いその後第一熱交換器を介することで冷媒が放熱を行うことで、第二熱交換器表面で吸熱された浴室内循環空気が結露することで、少ない消費電力で効率的に浴室内を除湿することが可能な換気空調装置が得られる。
【００５２】
本発明の請求項１４記載の発明は、加熱手段が、冷媒を圧縮する圧縮機と冷媒が放熱する第一熱交換器と冷媒を膨張させる膨張機構と冷媒が吸熱する第二熱交換器の順に冷媒が循環するように配管接続された冷媒回路を用いたヒートポンプによることとしたものであり、この手段により、本体部に流入した浴室内循環空気に対して、第二熱交換器を介することで冷媒が吸熱を行いその後第一熱交換器を介することで冷媒が放熱を行うことで、第一熱交換器表面で放熱された高温の空気が浴室内に吹出すことで、少ない消費電力で効率的に浴室内温度を昇温することが可能な換気空調装置が得られる。
【００５３】
本発明の請求項１５記載の発明は、浴室内循環空気が極めて高温多湿な状態から乾燥運転を開始する場合、浴室内空気を一定期間浴室外に排気した後、浴室内を循環させる運転に切り換えることとしたものであり、この手段により、高温多湿な浴室内空気を浴室外に一定時間排気することで浴室外の空気を浴室内に取り入れ、その入れ換えた後の浴室内空気を循環させて乾燥運転することで、乾燥時間を短縮することが可能な換気空調装置が得られる。
【００５４】
本発明の請求項１６記載の発明は、グリル部と本体部間の相対距離を可変する動作を、運転パターンに応じて自動で行うこととしたものであり、この手段により、運転パターンを切り換える度に手動で相対距離を可変する動作を必要としない、使い勝手の良い換気空調装置が得られる。
【００５５】
以下、本発明の実施の形態について図面を参照しながら説明する。
【００５６】
（実施の形態１）
以下、本発明の実施の形態１について図面を参照しながら説明する。
【００５７】
まず本発明における換気空調装置の概略構成について説明する。
【００５８】
図１は本発明の実施の形態における換気空調装置の概略構成を示す概略図である。図１に示すように、この換気空調装置１は循環送風経路２、換気送風経路３、および冷媒回路４が設けられた本体部５、この本体部５と連結するグリル部６、またこれらを制御する制御装置７から構成されている。以下にそれぞれの具体的な構成について記す。
【００５９】
図２に示すように本体部５には、浴室８内空気を吸引する吸込口９と、吸込口９から吸引した空気を送風する循環送風路１０と、浴室８内の空気を吸引または送風する循環ファン１１と、浴室８内に空気を吹出す吹出口１２で構成された循環送風経路２と、浴室８内空気を吸引する吸込口９と、吸込口９から吸引した空気を送風する換気送風路１３と、浴室８内の空気を吸引または送風する換気ファン１４と、浴室８外に空気を吹出す換気吹出口１５で構成された換気送風経路３が備えられており、その両者の送風経路を介するように冷媒回路４が備えられている。
【００６０】
この冷媒回路４は、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填して形設しており、この冷媒回路４中に、冷媒を圧縮する圧縮機１６、供給空気と冷媒とを熱交換させる加熱手段としての第一熱交換器１７、冷媒を膨張させる電子式膨張弁からなる膨張機構１８、供給空気と冷媒とを熱交換させる冷却手段としての第二熱交換器１９を介設している。この冷媒回路４中を、圧縮機１６で圧縮された冷媒が第一熱交換器１７、膨張機構１８、第二熱交換器１９の順に流れて再び圧縮機１６に戻る。
【００６１】
第一熱交換器１７は、循環送風路１０内に配設され、第二熱交換器１９は循環送風路１０内と換気送風路１３内の両者に介する位置に配設される。このため、圧縮機１６を運転させることで冷媒回路４内の冷媒を循環させ、循環ファン１１を運転することにより循環送風路１０を介して浴室８内を循環する空気に対してまず始めに通過する冷却手段としての第二熱交換器１９において冷媒が吸熱を行い、次いで加熱手段としての第一熱交換器１７を通過する際には冷媒が放熱を行う。浴室８内循環空気が第二熱交換器１９を通過する際には冷媒より吸熱されるため空気の温度が低下し、空気の水分が除湿手段としての第二熱交換器１９表面に結露することで空気中の湿度が下がる。ここで第二熱交換器１９表面に結露した水滴はドレン水となり貯水部２０に滴下し、貯留したドレン水は排水経路２１より排水される。低湿度となった空気は次に通過する第一熱交換器１７において冷媒より放熱されるため、この放熱により高温低湿となった空気が吹出口１２から放出される。
【００６２】
ここで記した吸込口９および吹出口１２は以下に示すグリル部６の開口と連結する位置に配置されており、本体部５とグリル部６の相対位置関係により流通方向を決定する。詳細を以下に記す。
【００６３】
図３に示すようにグリル部６には、本体部５の吸込口９と連結する位置に開口された外側吸込口としての吸込開口２２、本体部５の吹出口１２と連結する位置に開口された外側吹出口としての吹出開口２３、グリル部６側面に開口された外側吹出口としてのスリット状のスリット開口２４が設けられている。外側吸込口としての吸込開口２２にはスライド式の開閉手段である吸込開口開閉部２５が設けられており、吸込開口２２の開閉および開度の調節が可能である。また、外側吹出口としての吹出開口２３部には駆動用モータ２６により自在に稼動することが可能なルーバ式の開閉手段である吹出開口開閉部２７が備えられており、吹出開口２３の開閉、および開度の調節が可能である。
【００６４】
本体部５とグリル部６の連結方法を図４に示す。グリル部６の浴室天井面に平行な面の本体部５側に、フック２８を４箇所設ける。このフック２８に柔軟なワイヤー２９を取り付け、本体部５天面に備えられた滑車３０を介してワイヤー巻き取りモータ３１と連結する。ワイヤー巻き取りモータ３１を順方向に運転させることでグリル部６は上昇し、逆方向に運転することでグリル部６は下降する。このような構成をとることで、本体部５とグリル部６間の相対距離を可変可能とする。また、本体部５とグリル部６間に間隔を設けて設置する際に吸込口９と吸込開口２２を連結する手段として吸込側連結部材３３、吹出口１２と吹出開口２３を連結する手段として吹出側連結部材３２をそれぞれ連結部に備えることとする。
【００６５】
次に、開閉手段の組み合わせや本体部５とグリル部６間の相対距離の可変による組み合わせによる各運転動作に関して順に説明する。
【００６６】
まず、本体部５とグリル部６間の相対距離がきわめて狭い、もしくは密着している場合において、吸込開口２２および吹出開口２３の両者が開放状態である場合の運転動作（運転動作Ａ）に対して図５を用いて説明する。このような構成をとることにより、本体部５の吸込口９とグリル部６の吸込開口２２が連結し、本体部５の吹出口１２とグリル部６の吹出開口２３が連結するため、空気の流通方向が本体部５に対して流入方向、流出方向ともに浴室天井面に対して垂直な方向となる。これにより、浴室換気空調装置下部に乾燥対象物３４（例えばランドリーパイプに掛けられた衣類）を備えているような状況において、乾燥対象物３４に直接温風を当てることができ、更には温風を当てられることにより蒸発して水分を多く含む空気が淀んでいる乾燥対象物３４付近の空気を吸引することで、対象物の乾燥時間を短縮することができる。
【００６７】
次に、本体部５とグリル部６間に間隔を設け、本体部５の吸込口９とグリル部６の吸込開口２２を吸込側連結部材３３を介して連結している場合において、吸込開口２２を開放し、吹出開口２３を閉鎖した状態の運転動作（運転動作Ｂ）に対して図６を用いて説明する。このような構成をとることにより、浴室天井面に対して垂直方向に流入し、外側吹出口としてのスリット開口２４より浴室天井面に沿うような方向で流出する流通方向となることで、スリット開口２４より吹出した空気は浴室天井面、浴室壁面に沿うような流路で流通し、浴室床面付近にて合流した流通空気が上昇して本体部５に吸込まれる流路を形成するため、浴室天井面および壁面の乾燥時間を短縮することができる。
【００６８】
なお、この運転動作時には本体部５とグリル部６間の間隔を可変させることでスリット開口２４の開口面積を調節することができ、開口面積を狭く設定した際には吹出し風速を速めることができるので、浴室状態に応じて開口面積の調節を行うことで乾燥時間の短縮が図れる。また、閉鎖している吹出開口２３に関しても、開度を調節して開放することにより、浴室天井面に沿う方向と浴室天井面に垂直方向の両方向に吹出すことが可能になるため、開度の調節を行うことで種々の乾燥形態に対応することができる。
【００６９】
次に、本体部５とグリル部６間に間隔を設け、本体部５の吹出口１２とグリル部６の吹出開口２３を吹出側連結部材３２を介して連結している場合において、吸込開口２２を閉鎖し、吹出開口２３を開放した状態の運転動作（運転動作Ｃ）に対して図７を用いて説明する。このような構成をとることにより、浴室天井面に沿うような方向でスリット開口２４より流入し、浴室天井面に対して垂直方向に流出する流通方向となることで、吹出開口２３より吹出した空気は浴室床面に向かい流通し、浴室床面に届いた後は浴室壁面、浴室天井面へと沿って本体部５に吸込まれる流路を形成するため、浴室床面の乾燥時間を短縮することができる。
【００７０】
以上、説明した各運転動作を乾燥対象に応じて使い分けることで、各々の乾燥時間の短縮を図ることができる。更には制御装置７により、浴室８内が極めて高湿度な状態から乾燥運転を行う際には、浴室８内高湿度空気を一定期間浴室８外に排気した後、浴室８内を循環させる運転に切り換える運転制御を行うことで、乾燥時間の短縮を図ることができる。このような運転動作による開閉手段の組み合わせや本体部５とグリル部６間の相対距離の可変による組み合わせを、制御装置７により自動で行うことでより使い勝手の良い換気空調装置１となる。
【００７１】
以上説明した内容は、発明を実施するための一形態についてのみ説明したものであり、本発明は上記実施の形態に限定されるものではない。
【００７２】
例えば、上記実施の形態では、空調する室内空間を浴室８としたが、空調空間は、居住空間内において区画された空間であれば良く、上記に限定されるものではない。即ち、空調空間をリビングなどに設定しても良い。
【００７３】
また、上記実施の形態では、浴室８内の空気を換気する構成としたが、浴室８内のみの換気に限定されるものではなく、例えば換気対象とする空間を複数とし、各々の空間と換気送風経路３をダクトで連結することにより他室の換気も同時に行う構成としてもその作用効果に差異を生じない。
【００７４】
また、上記実施の形態では、本体部５とグリル部６間をワイヤー２９で連結し、相対距離を可変する手段としてグリル部６に連結したワイヤー２９をワイヤー巻き取りモータ３１によって巻き取ることで稼働する構成としたが、本体部５とグリル部６の連結手段及び相対距離の可変手段はこの構成に限定されるものではなく、図８に示すような、モータにより自在に稼働することのできる歯車と、その歯車の凹凸と噛み合う凹凸が刻まれた稼働軸とで構成された稼動体や、モータにより自在に稼働できるネジ溝が刻まれた軸とネジ穴が設けられた稼働板とで構成された稼動体を用いてもその作用効果に差異を生じない。
【００７５】
また、上記実施の形態では、グリル部６の側面に設けた開口の形状をスリット形状のものとしたが、この形状に限定されるものではなく、所望の吹出風速及び風量が確保することのできる開口であれば他の形状の開口としても良く、その作用効果に差異を生じない。
【００７６】
また、上記実施の形態では、加熱手段として冷媒回路４の第一熱交換器１７による空気への放熱を利用するものとしたが、浴室８内に送風する空気を加熱することができる手段であれば全く問題は無く、循環温水を利用したフィンチューブ式のコイルやＰＴＣヒータ、その他熱源を利用してもその作用効果に差異を生じない。
【００７７】
また、上記実施の形態では、除湿手段として冷媒回路４の第二熱交換器１９において通過空気より冷媒が吸熱することで温度を低下させ、空気中の水分を結露させることで湿度を下げるものとしたが、循環空気の湿度を下げることができる手段であれば全く問題は無く、吸湿体による除湿方法等を利用してもその作用効果に差異を生じない。
【００７８】
また、上記実施の形態では、浴室８内に高温低湿の空気を吹出すことで乾燥時間の短縮を図ったが、除湿機能を有していない構成の換気空調装置においても、浴室８内空気の暖房と換気を効率良く行うことで、乾燥対象を短時間で乾燥することが可能であり、その作用効果に差異を生じない。
【００７９】
また、上記実施の形態では、吹出側連結部材３２および吸込側連結部材３３の両連結部材に関して詳しく言及していないが、本体部５側の吸込口９とグリル部６側の吸込開口２２および本体部５側の吹出口１２とグリル部６側の吹出開口２３を連結することができれば良く、その材質や形状を限定するものではない。望ましくは、連結していない状態において換気空調装置１内空気の流通を大きく阻害することなく収納できる形態である。
【００８０】
また、上記実施の形態では、圧縮機１６の駆動方式について言及していないが圧縮機１６の駆動方式は駆動周波数一定のものを使用しても駆動周波数可変のものを使用してもよい。
【００８１】
また、上記実施の形態では、換気ファン１４および循環ファン１１ついて詳しく言及していないが、風量や消費電力、騒音や振動等の条件を満足するのであれば、シロッコファン、クロスフローファンまたはプロペラファン等どのような方式のファンを用いてもその作用効果に差異を生じない。
【産業上の利用可能性】
【００８２】
以上のように本発明にかかる換気空調装置は、簡易的な操作により構成部材を動作させることで、通過空気の状態（温度、風速または風量等）に影響されること無く浴室内空気を任意の流通方向に可変することのできるものであり、浴室の換気空調のみならず、リビング、寝室、キッチンあるいは洗面所等の換気空調装置にも適用することができる。
【図面の簡単な説明】
【００８３】
【図１】本発明の実施の形態における換気空調装置の概略構成図
【図２】同換気空調装置の本体部概略図
【図３】同換気空調装置のグリル部概略図
【図４】同換気空調装置の本体部とグリル部の連結状態概略図
【図５】同換気空調装置の運転動作Ａを示す図
【図６】同換気空調装置の運転動作Ｂを示す図
【図７】同換気空調装置の運転動作Ｃを示す図
【図８】同換気空調装置の本体部とグリル部間の相対距離可変手段の一例を示す図
【符号の説明】
【００８４】
１    換気空調装置
２    循環送風経路
３    換気送風経路
４    冷媒回路
５    本体部
６    グリル部
７    制御装置
８    浴室
９    吸込口
１０  循環送風路
１１  循環ファン
１２  吹出口
１３  換気送風路
１４  換気ファン
１５  換気吹出口
１６  圧縮機
１７  第一熱交換器
１８  膨張機構
１９  第二熱交換器
２０  貯水部
２１  排水経路
２２  吸込開口
２３  吹出開口
２４  スリット開口
２５  吸込開口開閉部
２６  駆動用モータ
２７  吹出開口開閉部
２８  フック
２９  ワイヤー
３０  滑車
３１  ワイヤー巻き取りモータ
３２  吹出側連結部材
３３  吸込側連結部材
３４  乾燥対象物
【図１】
2008232486.tif 000003
【図２】
2008232486.tif 000004
【図３】
2008232486.tif 000005
【図４】
2008232486.tif 000006
【図５】
2008232486.tif 000007
【図６】
2008232486.tif 000008
【図７】
2008232486.tif 000009
【図８】
2008232486.tif 000010